(57)【要約】【課題】  他の機器からの要求に応じて、デジタルカメラ等の撮像装置内の画像ファイルを通信手段を介して転送する場合に、他の機器からの取得を許可する画像ファイルを簡単に設定する。【解決手段】  デジタルカメラは、通信圏内にいる他の機器から、機器情報を受信する。デジタルカメラは画像を撮影した後、撮影した画像に対し、受信した機器情報を付加する。他の機器からの画像の取得要求があった場合に、デジタルカメラは要求された画像に要求元の機器情報が付加されているかを参照し、付加されている場合には取得を許可する。【選択図】  図４
2008022199.tif 000002
【特許請求の範囲】
【請求項１】
被写体像を撮像して画像データを得る撮像手段と、
他の機器からの取得要求に応答して、他の機器に対して前記画像データを送信する画像送信手段と、
前記画像データの送信を許可する対象となる他の機器に関する機器情報を受信する機器情報受信手段と、
撮像して得た画像データと前記受信した機器情報とを関連付けて記録する記録制御手段とを有することを特徴とする撮像装置。
【請求項２】
前記取得要求の送信元と、前記画像データと関連付けられた機器情報とに基づき、前記画像送信手段による送信を制御する送信制御手段を有することを特徴とする請求項１に記載の撮像装置。
【請求項３】
前記送信制御手段は、前記画像データと関連付けられた機器情報に基づいて、該画像データの送信の可否を判断することを特徴とする請求項２に記載の撮像装置。
【請求項４】
前記他の機器の機器情報を登録する機器情報登録手段をさらに有し、
前記送信制御手段は、予め登録されている機器情報と前記画像データと関連付けられた機器情報に基づいて、画像データの送信を制御することを特徴とする請求項２に記載の撮像装置。
【請求項５】
前記機器情報受信手段は、前記他の機器と通信を行い機器を識別する情報を受信することを特徴とする請求項１に記載の撮像装置。
【請求項６】
前記撮像した被写体を表示する表示手段を有し、
前記表示手段は、前記機器情報受信手段により受信した機器情報を前記被写体とともに表示することを特徴とする請求項１に記載の撮像装置。
【請求項７】
前記機器情報受信手段は、他の機器を撮像して機器を識別する情報を受信することを特徴とする請求項１に記載の撮像装置。
【請求項８】
前記機器情報受信手段は、他の機器の所有者を撮像して機器を識別する情報を受信することを特徴とする請求項１に記載の撮像装置。
【請求項９】
前記記録制御手段は、前記機器情報受信手段で機器に関する情報を受信した時間に対して一定範囲内の時間に撮像して得た画像データと前記機器情報とを関連付けて記録することを特徴とする請求項１に記載の撮像装置。
【請求項１０】
被写体像を撮像して画像データを得る撮像工程と、
他の機器からの取得要求に応答して、他の機器に対して前記画像データを送信する画像送信工程と、
前記画像データの送信を許可する対象となる他の機器に関する機器情報を受信する機器情報受信工程と、
撮像して得た画像データと前記機器情報とを関連付けて記録する記録制御工程とを有することを特徴とする撮像装置の制御方法。
【請求項１１】
撮像装置を
被写体像を撮像して画像データを得る撮像手段と、
他の機器からの取得要求に応答して、他の機器に対して前記画像データを送信する画像送信手段と、
前記画像データの送信を許可する対象となる他の機器に関する機器情報を受信する機器情報受信手段と、
撮像して得た画像データと前記機器情報とを関連付けて記録する記録制御手段
として機能させるプログラム。
【発明の詳細な説明】
【技術分野】
【０００１】
本発明は、撮影により得られた画像データを、他の機器からの要求に応じて送信する撮像装置に関する。
【背景技術】
【０００２】
従来から、デジタルカメラ等の撮像装置にて撮影された画像を、有線、あるいは無線の通信手段を介して接続状態にあるコンピュータやデジタルカメラ等の他のデバイスに送信することが行われていた。
【０００３】
例えば、撮影した画像を通信手段を介して指定された送信先へ自動的に送信する通信装置が知られている（例えば、特許文献１）。
【０００４】
また、以下のような技術も知られている。送信元である第１の画像処理装置で一覧表示用のＪＰＥＧ画像データを生成して、送信先である第２の画像処理装置に送信する。第２の画像処理装置は、受信したＪＰＥＧ画像データから特定の画像を指定し、第１の画像処理装置にこの情報を送信する。第１の画像処理装置は、受信した情報に基づき高解像度画像を第２の画像処理装置に送信する（例えば、特許文献２）。
【０００５】
ところで、デジタルカメラ等の撮像装置にて撮影された画像を、他のデバイスに送信する際に、送信したい画像データと一緒に、送信したくない画像データもあやまって外部へ転送してしまうことがないようにしたいという要求がある。
【０００６】
この課題に対しては、以下のような技術が知られている。データ転送装置において、操作者が選択した撮影時モードまたは設定時モードに応じて、記憶手段の画像ファイルの特定のタグ領域に外部転送可否を示すフラグ値を書き込むモード設定を行う。そして画像送信動作の際には、特定のタグ領域のフラグ値に基づき外部転送可否を判定し、外部転送禁止状態の場合には、画像転送動作を行わないようにする（例えば、特許文献３）。
【特許文献１】特開２０００−１７５０９２号公報
【特許文献２】特開２００２−９９９１号公報
【特許文献３】特開２００３−１４１００５号公報
【発明の開示】
【発明が解決しようとする課題】
【０００７】
しかしながら、上記従来例では、相手機器からの要求に応じて画像を転送する場合に、画像ごとに転送の可否を設定することができなかった。また、転送先の相手ごとに転送の可否を設定することはできなかった。例えば、撮像装置内の記憶媒体に複数の画像ファイルが記憶されており、そのうちの何枚かは旅行の際に撮影した画像ファイルである場合を考える。この場合、旅行の際に撮影した画像ファイルの取得は、一緒に旅行した知人の携帯端末のみに許可され、それ以外の人の携帯端末からは取得ができないようにされることが望ましい。
【０００８】
そこで、本発明の目的とするところは、撮像装置内の画像ファイルを他人の機器からの取得要求に応じて送信する場合に、意図しない画像ファイルまで送信してしまうことがない撮像装置を提供することを第一の目的とする。
【０００９】
また、本発明の目的とするところは、ユーザーがわずらわしい設定をすることなしに、取得要求に応答して画像ファイルを送信する機器を自動的に設定することができる撮像装置を提供することである。
【課題を解決するための手段】
【００１０】
上記課題を解決するために、本発明は、被写体像を撮像して画像データを得る撮像手段と、他の機器からの取得要求に応答して、他の機器に対して前記画像データを送信する画像送信手段と、前記画像データの送信を許可する対象となる他の機器に関する機器情報を受信する機器情報受信手段と、撮像して得た画像データと前記機器情報とを関連付けて記録する記録制御手段とを有することを特徴とする。
【発明の効果】
【００１１】
本発明によれば、撮像装置内の画像ファイルを閲覧させるか否かを接続相手に応じて制御することが可能になる。また、接続相手の設定を簡単に行うことができる。
【発明を実施するための最良の形態】
【００１２】
＜第１の実施形態＞
まず、本実施形態の概要を説明する。本実施形態に係る撮像装置は、有線あるいは無線の通信手段を介して接続された他機器から、画像ファイルの取得要求を受信する。撮像装置は取得要求に応じて画像ファイルを他機器に送信する。他機器は画像ファイルを受信した後、ユーザが閲覧できるよう画像データを表示部に表示する。
【００１３】
本実施形態は、このようなケースにおいて、意図しない画像ファイルを他機器に送信し他のユーザに見られてしまうことがないようにしたものである。そのために、画像ファイルの取得を許可する機器、すなわち取得要求に応じて画像ファイルを送信する機器を管理し、他機器への画像ファイルの送信を制御する。
【００１４】
本実施形態は、画像の撮影時に画像ファイルの取得を許可する機器に関する情報を収集することを特徴とする。
【００１５】
本実施形態では、撮像装置としてデジタルカメラを想定しているが、画像を撮影する手段を備え、撮影した画像データをデジタルデータとして一時保存または保存する手段と、通信手段を備えた機器に対して適用することができる。
【００１６】
以下、本発明に係る撮像装置の第１の実施の形態を図面を参照しながら説明する。
【００１７】
本発明の実施の形態における全体構成を図４に示す。
【００１８】
図４において２１はデジタルカメラであり、無線通信手段を備えている。デジタルカメラ２１の無線通信可能領域は４５で示された範囲内であり、機器Ａ（４１）、機器Ｂ（４２）、機器Ｃ（４３）と無線による通信が可能であることが示されている。一方、無線通信可能領域外にある機器Ｄ（４４）とは無線による通信ができない。機器Ａ（４１）から機器Ｄ（４４）はデジタルカメラ２１と同様に無線通信手段を備えている。機器の一例として、ＰＤＡ（Ｐｅｒｓｏｎａｌ  Ｄｉｇｉｔａｌ  Ａｓｓｉｓｔａｎｔ）や携帯電話、デジタルカメラ、画像閲覧装置、画像保存装置、コンピュータなどが考えられる。また、機器Ａ（４１）から機器Ｄは機器を識別するためのＩＤをそれぞれ持っている。本実施形態では、機器Ａ（４１）のＩＤは「１２３４５６」、機器Ｂ（４２）のＩＤは「５５５６６６」、機器Ｃ（４３）のＩＤは「３２１３２１」、機器ＤのＩＤは「７８９１２３」となっている。機器を識別するためのＩＤとしては、ＭＡＣアドレスや固定に割り振られたＩＰアドレス、ベンダーごとにユニークに割り振られたシリアル番号などを利用することができる。また、本実施形態においては、無線通信手段としてはＩＥＥＥ８０２．１１ｂ規格に準拠した通信方式を利用したものとする。
【００１９】
図２はデジタルカメラ２１の外観を示した図である。
【００２０】
図２において２１はデジタルカメラ本体を示している。２２は撮影対象の被写体をライブで表示して構図や露出を確認したり（電子ビューファインダー機能）、撮影画像の確認に用いるとともに、閲覧設定メニュー等を表示するための表示部である。２３はデジタルカメラの内部に実装されている無線通信インタフェース（Ｉ／Ｆ）部である。２９はデジタルカメラ本体２１に着脱可能で画像ファイルを保存する記憶手段であり、例えばＳＤカードなどのリムーバブル・ストレージ・デバイスに代表される記憶媒体である。本実施形態ではＳＤカード（以下「ＳＤ」）を具体例として用いる。デジタルカメラ本体にはこのＳＤ２９へのアクセス手段が備わっており、画像ファイルの読み出し、書き込みを行うことが可能である。２４は表示部２２への電子ビューファインダー表示や、撮影画像の確認表示の際に、撮影補助情報や付属情報を表示する・しないを切り替えるための「ＤＩＳＰ」ボタンであり、２５は各種設定のための「ＭＥＮＵ」ボタンである。また２６は撮影画像の確認表示の際に画像を順次切り替えたり、メニュー操作の際に項目を切り替えたりするための十字キー、２７はメニュー操作の際に決定を意味する「ＳＥＴ」ボタン、２８は無線による通信の開始を指示するための無線ボタンである。本実施形態にかかるデジタルカメラ２１では、ユーザーが無線ボタン２８を操作すること応じて他の機器との無線通信を開始する。このとき、無線ボタン２８を押した後に表示部２２に表示されるメニュー画面において、ユーザーが接続対象機器リストに登録されている機器の中から接続する機器を選択する。また、接続対象機器リストに登録されているすべての機器と同時に接続されるようにしてもよい。
【００２１】
図３はデジタルカメラ２１の主な部分を示したものである。
【００２２】
デジタルカメラ２１は、撮影レンズと、撮影レンズを介して入射する被写体光を受光し、光電変換して画像信号を生成するＣＣＤと、後段のアナログ／デジタル（Ａ／Ｄ）変換回路等から構成される撮像部３２３を備えている。撮像部３２３がＣＰＵ３３１の制御のもと、デジタル画像信号を出力して信号処理部３２１で信号処理を施した後、ＲＡＭ３２７に一時的にデジタル画像信号を保持する。その後作成されたデジタル画像信号に撮影設定情報などを付属情報としてヘッダー領域に付加し、最終的にＳＤ２９に画像ファイルとして保存する。
【００２３】
画像ファイルを記録するための記録媒体としては、ＳＤ２９の代わりにメモリカード・光磁気ディスクその他のリムーバブルメディアであってもよい。また、記憶媒体をデジタルカメラ２１内に内蔵するようにしてもよい。
【００２４】
さらにＣＰＵ３３１には、ＲＯＭ３２７、ＦＬＡＳＨ  ＲＯＭ３３５ＤＩＳＰボタン２４、ＭＥＮＵボタン２５、十字キー２６、ＳＥＴボタン２７、無線ボタン２８などの各種操作部材３２９からの入力を制御するＳＷ制御部３２８が接続されている。また、デジタル画像信号の表示データや、各種ユーザーインターフェイスの表示データを保持するためのＶＲＡＭ３２５、ＩＥＥＥ８０２．１１ｂ規格に準拠した無線通信Ｉ／Ｆ２３、ＵＳＢ  Ｉ／Ｆ３３３も接続されている。
【００２５】
ＶＲＡＭ３２５に保持された表示データの内容は、表示部であるＬＣＤモニタ３２６に表示される。
【００２６】
ＲＯＭ３２７には、各種プログラムが記憶されている。主なプログラムとしては以下のものが含まれる。まず、撮像のためのプログラムである。これは撮影画像をＬＣＤモニタに表示するためものである。また、通信プログラムも含まれる。このプログラムに従い無線通信Ｉ／Ｆから受信したユーザーデータが解釈され、一方で送信データが生成され無線通信Ｉ／Ｆ３２０に書き込まれる処理が行われる。さらプログラムには、画像ファイルの取得を許可する対象となる機器に関する情報を収集するためのプログラムなどが含まれる。
【００２７】
無線通信Ｉ／Ｆ２３には無線通信Ｉ／Ｆの制御部である無線通信制御手段３３０、ＲＦモジュール３３２、アンテナ３３４が接続されている。
【００２８】
撮像装置の各動作は、入力された信号または読み込まれたプログラムに従い、ＣＰＵ３３１が各部を制御することで実行される。
【００２９】
図８はデジタルカメラ２１の記憶手段２９に保存される画像ファイルのフォーマットを示す図である。図８において、８００は記憶手段２９に保存される画像ファイルを示す。図８に示す画像ファイル８００のうち、８０５は圧縮データ（圧縮された主画像データ）を格納する領域である。８０３はサムネイルデータ（見出し用小画像データ）を格納する領域である。８０２は付属情報領域である。８０１は開始を示すＳＯＩ（Ｓｔａｒｔ  ｏｆ  Ｉｍａｇｅ）領域である。８０７は付属情報領域８０２の一部であり、対象画像ファイルを通信により取得可能な機器のＩＤが記録されている閲覧機器ＩＤ領域である。この機器ＩＤに基づき、デジタルカメラ２１は他の機器に画像を送信するか否かを判断する。詳細は後述する。８０４はヘッダ部領域である。８０６は終了を表すＥＯＩ（Ｅｎｄ  ｏｆ  Ｉｍａｇｅ）領域である。なお、本例における画像ファイル８００はＪＰＥＧ（Ｊｏｉｎｔ  Ｐｈｏｔｏｇｒａｐｈｉｃ  Ｅｘｐｅｒｔｓ  Ｇｒｏｕｐ）ファイルとして構成されているが、ファイルの構成はこれに限定されるものではない。
【００３０】
次に本実施形態におけるシステム構成について説明する。図４に具体的なシステム構成を示す。２１はデジタルカメラである。４１〜４４はデジタルカメラ２１と通信する機能を有する機器Ａ〜Ｄであり、デジタルカメラ２１に画像取得要求を送信することが可能である。なお、機器Ａ（４１）、機器Ｂ（４２）、機器Ｃ（４３）はデジタルカメラ２１との無線通信可能領域４５の圏内に位置している。機器Ｄ（４４）は無線通信可能領域４５の圏外に位置している。
【００３１】
本実施形態では、デジタルカメラ２１での撮影の際にデジタルカメラ２１の無線通信可能領域に存在する機器である機器Ａ（４１）、機器Ｂ（４２）、機器Ｃ（４３）は、同じイベントに参加している人が所有しているものとみなす。すなわち、イベントにおいて撮影した画像ファイルの取得を許可する機器として扱い、機器のユーザに画像データを閲覧させるようにする。一方で、無線通信可能領域外に存在する機器Ｄ（４４）は画像ファイルの取得を許可する機器としては扱わない。
【００３２】
本発明では、周辺の機器の情報を収集することで、画像ファイルの取得を許可する機器を簡単に設定することができる。具体的には、デジタルカメラ２１が周辺の機器から送信される特定のパケットを受信することにより、周辺の機器の情報を収集することが可能となる。以下、情報の収集について詳細に述べる。
【００３３】
機器Ａ（４１）、機器Ｂ（４２）、機器Ｃ（４３）はＩＥＥＥ８０２．１１規格に準拠した通信手段を介して「閲覧マーク要求」のパケットを定期的に発信する。「閲覧マーク要求」とは、デジタルカメラ２１で撮影された画像ファイルを取得する権限を要求するものである。デジタルカメラ２１は「閲覧マーク要求」のパケットを受信し、パケットに含まれる機器ＩＤ情報を記録する。例えば図４のケースであれば、機器Ａ（４１）のＩＤである「１２３４５６」、機器Ｂ（４２）のＩＤである「５５５６６６」、機器Ｃ（４３）のＩＤである「３２１３２１」を、画像ファイルの取得を許可する機器のＩＤ情報として記録する。記憶処理の詳細については後述する。
【００３４】
なお、デジタルカメラ２１は、機器Ａ（４１）、機器Ｂ（４２）、機器Ｃ（４３）が発信するＩＥＥＥ８０２．１１規格でＭＡＣフレームの一種として定義されているＢｅａｃｏｎフレームを受信してもよい。この場合には、Ｂｅａｃｏｎの情報要素であるＳＳＩＤ情報を機器を識別する情報として記録することも可能である。この際、ＳＳＩＤは機器毎にユニークである必要がある。Ｂｅａｃｏｎフレームに含まれるＳＳＩＤを使うことによって、デジタルカメラ２１と他の機器間で上位層のプロトコルによる接続が確立していない状態でも、機器を識別するためのＩＤ情報を取得することが出来る。
【００３５】
一方で、ＩＥＥＥ８０２．１１規格の電波は見通しのよい場所では１００ｍ程度離れても送受信可能な場合がある。従って、デジタルカメラ２１は、より近い距離にある機器のみを画像ファイルの取得を許可する機器として認識するようにしてもよい。例えば、受信パケットのＳ／Ｎ比（信号対雑音比）情報に基づき、一定レベル以上である機器のみを画像ファイルの取得を許可する機器として記録してもよい。また、「閲覧マーク要求」のパケットが継続的に送信されることを利用して、一定期間パケットを送信してきた機器のみを、画像ファイルの取得を許可する機器として記録するように制御してもよい。
【００３６】
次に、本実施形態におけるデジタルカメラ２１の動作について説明する。図１は本発明を適用したデジタルカメラ２１の動作の概要を説明した図である。図１では、簡便のためデジタルカメラ２１と機器Ａ（４１）の動作に限定して動作を説明する。
【００３７】
まず１０１で、デジタルカメラ２１は、電源がＯＮされ、他の機器情報の収集を開始する。具体的には、通信Ｉ／Ｆ２３が「閲覧マーク要求」を受信できる状態とする。この収集処理は、ユーザの操作に応じて開始してもよいし、予め決められたタイミングで自動的に開始してもよい。一度収集処理を開始すると、本シーケンス中は収集を継続するものとする。
【００３８】
その後、１０２でユーザーからの撮影指示を受けると、デジタルカメラ２１は１０３で一回目の撮影及び画像ファイル１の作成を行う。この時点では機器Ａ（４１）からの「閲覧マーク要求」を受信していないため、画像ファイル１の閲覧機器ＩＤ領域８０７にデータは書き込まれない。
【００３９】
１１２で、ユーザが機器Ａ（４１）の電源をＯＮにし、機器Ａ（４１）はデジタルカメラ２１との無線通信を開始するものとする。通信が開始されると、１１４にて機器Ａ（４１）からデジタルカメラ２１に対して「閲覧マーク要求」が送信される。前述したように、「閲覧マーク要求」は一定の周期で送信されるものとする。
【００４０】
デジタルカメラ２１は「閲覧マーク要求」を受信し記憶する。この受信後に、ユーザーから１０４で再度撮影指示を受けると、１０５で２回目の撮影及び画像ファイル２の作成を行う。この時点でデジタルカメラ２１は、機器Ａ（４１）からの「閲覧マーク要求」を受信している。従って、１０６で画像ファイル２の閲覧機器ＩＤ領域８０７に、機器Ａ（４１）のＩＤである「１２３４５６」を記録する。これによって、デジタルカメラ２１は機器Ａ（４１）に対し、画像ファイル２を取得する許可を与えたこととなる。
【００４１】
１１５にて、機器Ａ（４１）はデジタルカメラ２１に対して「閲覧マーク要求」を再び送信する。その後１１３にて、ユーザ操作により機器Ａ（４１）の電源がＯＦＦとされる。
【００４２】
ここで１１６に示すように、デジタルカメラ２１では、機器Ａ（４１）からの「閲覧マーク要求」を受信した時刻（１１５）に対して、一定期間さかのぼった時点から、一定の期間経過した時点までを機器Ａ（４１）の閲覧マーク有効期間として取り扱う。これによって、機器Ａ（４１）の電源がＯＦＦされている期間に撮影された画像や、機器Ａ（４１）がデジタルカメラ２１の無線通信可能領域外にあるときに撮影された画像があった場合でも、機器Ａ（４１から）取得可能になるよう制御することができる。
【００４３】
例えば、１０８で作成されるファイル３は、機器Ａ（４１）が電源ＯＦＦされた後にデジタルカメラ２１で撮影および作成された画像ファイルである。しかし、機器Ａ（４１）の閲覧マーク有効期間内に撮影および作成されたものである。この場合には、撮影時に機器Ａ（４１）の電源がＯＦＦであっても、デジタルカメラ２１は画像ファイル３の閲覧機器ＩＤ領域８０７に機器Ａ（４１）のＩＤを記録する（１０９）。一方、１１１で撮影および作成された画像ファイル４は、機器Ａ（４１）の閲覧マーク有効期間が切れた後に撮影および作成されている。この場合には、画像ファイル４の閲覧機器ＩＤ領域８０７に機器Ａ（４１）のＩＤは記録されない。
【００４４】
なお、機器Ａ（４１）が「閲覧マーク要求」を出す間隔が長い場合には、ユーザ操作に応じ、デジタルカメラ２１での閲覧マーク有効期間を十分長い時間となるように設定することが可能である。このことにより、その間に撮影された画像ファイルが閲覧不可能になることがないよう制御することができる。
【００４５】
デジタルカメラ２１が、閲覧マーク有効期間をどのように設定するかについてはいろいろな方法が考えられる。例えば、閲覧マーク要求を受けた日時と同じ日に撮影した画像ファイルに対しては、他の機器のＩＤを書き込むよう制御することも可能である。また、デジタルカメラ２１が閲覧マーク要求を受けた時刻に対して、同じ起動期間内（デジタルカメラをＯＮにしたタイミングからＯＦＦするまで）を閲覧マーク有効期間とするよう制御することも可能である。
【００４６】
次に、図５を用いて、画像ファイルの取得を許可する機器の情報の作成方法について説明する。
【００４７】
デジタルカメラ２１では、予め無線による接続の対象となる機器を登録する機能を備えている。具体的には、デジタルカメラ２１ではＵＩ部材を使っての機器情報入力や、有線・無線の通信手段による機器情報の交換によって、無線による接続の対象となる機器（接続対象機器）を登録できる。逆に登録されていない機器とは、例え無線通信可能領域４５内に位置する機器であっても無線通信手段で接続を確立することはできない。
【００４８】
図５はデジタルカメラ２１に接続対象として登録されている機器のリストである。このリストはデジタルカメラ２１中のＦＬＡＳＨ  ＲＯＭ３３５に記憶されている。デジタルカメラが起動中はＲＡＭ３３２に読み出され、接続対象機器の登録や最終検知時間の記録などの動作によって更新される。ユーザーがデジタルカメラのメインスイッチをＯＦＦ状態にしたり、登録動作が完了した際にＦＬＡＳＨ  ＲＯＭ３３５に書き戻される。
【００４９】
機器ＩＤのフィールド５０１には、「１２３４５６」「５５５６６６」「３７７７７７」「８７６５４３」という４台の機器が登録されている。
【００５０】
５０２は機器情報の１つであるニックネームのフィールドである。ニックネームは、デジタルカメラ２１のユーザーが接続対象機器のユーザーを簡単に識別する目的で使うことができる。
【００５１】
５０３は、機器からの「閲覧マーク要求」を最後に受信した時刻情報を、最終検知時間として記録を記憶する検知時間フィールドである。
【００５２】
５０４は、閲覧マークの有効期間がいつまでかを示す情報であるＥｘｐｉｒｅ時間のフィールドであり、接続対象機器の各々のＥｘｐｉｒｅ時間が記録されている。
【００５３】
デジタルカメラ２１、および他の機器との関係が図４に示す状態の場合、機器Ａ（４１）、機器Ｂ（４２）、機器Ｃ（４３）はデジタルカメラ２１に対し、定期的に「閲覧マーク要求」を送信している。機器Ａ（４１）および機器Ｂ（４２）は登録機器ＩＤのフィールドにＩＤが登録されているため、接続を確立することが可能である。従って、デジタルカメラ２１は、機器Ａ（４１）および機器Ｂ（４２）から「閲覧マーク要求」を受信するたびに、最終検知時間のフィールド５０３、およびＥｘｐｉｒｅ時間のフィールド５０４を更新するように制御する。この時点で撮影された画像ファイルに対しては、閲覧機器ＩＤ領域８０７に機器Ａ（４１）のＩＤ「１２３４５６」と機器Ｂ（４２）のＩＤ「５５５６６６」が記録される。一方、機器Ｃ（４３）は接続対象機器のリストには登録されていないため、接続を確立することができない。すなわち、閲覧マーク要求がデジタルカメラ２１に受信されないため、デジタルカメラ２１内の画像ファイルを取得することができない。
【００５４】
なお、登録機器ＩＤ「３７７７７７」の機器については、Ｅｘｐｉｒｅ時間のフィールド５０４が「Ｅｘｐｉｒｅｄ」となっている。これは、「閲覧マーク要求」を受信したものの、すでに閲覧マーク有効期間は終了していることを示している。
【００５５】
また、登録機器ＩＤ「８７６５４３」の機器については、最終検知時間のフィールド５０３、Ｅｘｐｉｒｅ時間のフィールド５０４に時間データが入力されていない。これは、これまでに「閲覧マーク要求」を受信したことがない状態を示している。
【００５６】
次に図１２を使って、デジタルカメラ２１が閲覧対象機器の情報を収集し、撮影した画像ファイルの閲覧機器ＩＤ領域に機器のＩＤを記録する動作について説明を行う。
【００５７】
まず、ユーザの操作に応じて、デジタルカメラ２１は撮影モードを起動する（ステップＳ１２０１）。このとき、無線通信手段を有効にして他の機器から「閲覧マーク要求」が送信されるのを待つ。「閲覧マーク要求」の受信待機は、ユーザが「ＭＥＮＵ」ボタン２５を押すことによって表示されるメニュー画面での操作や特定のボタン操作により、有効・無効を切り替えることも可能である。
【００５８】
ステップＳ１２０２において、デジタルカメラ２１は表示部２２にＥＶＦ（電子ビューファインダ）表示を開始する。
【００５９】
ステップＳ１２０３において、デジタルカメラ２１は他の機器からの「閲覧マーク要求」を受信したかどうかを確認する。「閲覧マーク要求」を受信した場合、処理をステップＳ１２０４に進める。受信しなかった場合、処理をステップＳ１２０７に進める。
【００６０】
ステップＳ１２０４において、デジタルカメラ２１は図５に示すリストの更新を行う。すなわち、デジタルカメラ２１は受信した「閲覧マーク要求」に含まれる機器ＩＤと、登録機器ＩＤ５０１を比較する。そしてＩＤが一致した機器の最終検知時間フィールド５０３とＥｘｐｉｒｅ時間のフィールド５０４の情報を更新する。最終検知時間フィールド５０３には現在の時間を記録する。Ｅｘｐｉｒｅ時間のフィールド５０４には現在の時刻から一定時間経過した時刻（図５の例では１時間）を記録する。
【００６１】
ステップＳ１２０５において、デジタルカメラ２１は、Ｅｘｐｉｒｅ時間のフィールド５０４を参照し、まだＥｘｐｉｒｅ時間が終了していない機器がある旨、及び該機器のニックネームをＥＶＦ表示に重畳して表示する。
【００６２】
図６はＥＶＦ表示状態の画面例を示したものである。６１は、表示部２２にてＥＶＦ表示および各種撮影設定の情報などが表示されている画面を示す。６２のアイコンは、Ｅｘｐｉｒｅ時間が終了していない機器があることを報知するアイコンである。すなわち、ユーザはアイコン６２の表示の有無を確認することで、これから作成する画像ファイルが他の機器からの取得対象となること知ることが出来る。６３は、Ｅｘｐｉｒｅ時間が終了していない機器のニックネームである。例えば、図５に示した接続対象機器リストのうち、機器ＩＤ「１２３４５６」と機器ＩＤ「５５５６６６」のＥｘｐｉｒｅ時間が終了していない場合を考える。この場合には、それらの機器のニックネームである「Ｔａｒｏ」と「Ｈａｎａｋｏ」の文字列がＥＶＦ画面に上書きされる形で表示される。この表示によって、デジタルカメラ２１のユーザは、これから撮影・作成される画像ファイルが、どの機器から取得される可能性があるかをひと目で把握することができる。
【００６３】
ステップＳ１２０６において、デジタルカメラ２１は、過去に撮影した画像ファイルに、ステップＳ１２０３で受信した機器のＩＤを書き込む。なぜなら、現時点から前後一定範囲内に撮影された画像ファイルについて取得を許可する設定の場合には、「閲覧マーク要求」受信前に撮影・作成された画像ファイルが取得を許可する対象となる場合があるからである。従って、デジタルカメラ２１は、対象となる画像ファイルをＳＤ２９から検索して、その画像ファイルの閲覧機器ＩＤ領域８０７に、Ｅｘｐｉｒｅ時間が終了していない機器のＩＤを記録する。
【００６４】
一方、ステップＳ１２０３で「閲覧マーク要求」を受信していない場合、デジタルカメラ２１は処理をステップＳ１２０７に進めることは述べた。
【００６５】
ステップＳ１２０７において、デジタルカメラ２１は、撮影が指示されたかどうかを確認する。撮影が指示されていた場合、処理をステップＳ１２０８に進める。指示されなかった場合には、処理をステップＳ１２１１に進める。
【００６６】
ステップＳ１２０８において、デジタルカメラ２１は撮影を行い、画像ファイルを作成する。
【００６７】
ステップＳ１２０９において、デジタルカメラ２１は、撮影した画像を閲覧対象とすべく、撮影された画像ファイルの閲覧機器ＩＤ領域８０７に、Ｅｘｐｉｒｅ時間が終了していない機器のＩＤを記録する。
【００６８】
なお、作成された画像ファイルを取得される対象としたくない場合もある。この場合には、ユーザが任意に画像ファイルの取得の可否を選択できるようにしてもよい。例えば、撮影前に特定のボタンが押されたことに応じて、デジタルカメラ２１はステップＳ１２０９での機器ＩＤの記録を行わないよう制御することも可能である。
【００６９】
ステップＳ１２１０において、デジタルカメラ２１はＥＶＦ表示を再開する。
【００７０】
一方、ステップＳ１２０７で撮影が指示されていない場合、デジタルカメラ２１は処理をステップＳ１２１１に進めることは述べた。ステップＳ１２１１において、デジタルカメラ２１は、接続対象機器のリストに登録されている機器の閲覧マーク有効期間が終了したかどうかを確認する。具体的には、現在の時刻がＥｘｐｉｒｅ時間のフィールド５０４の値を超えた場合に、閲覧マーク有効期間が終了したと判断される。終了している場合は処理をステップＳ１２１２に進める。終了していない場合には処理をステップＳ１２１４に進める。
【００７１】
ステップＳ１２１２において、デジタルカメラ２１は、Ｅｘｐｉｒｅ時間のフィールド５０４の情報を「Ｅｘｐｉｒｅｄ」に変更して、閲覧許可機器のリストを更新する。
【００７２】
ステップＳ１２１３において、デジタルカメラ２１はＥＶＦ表示画面のうち、アイコン６２と、ニックネーム６３の表示を接続対象機器リストの状態に応じて更新する。
【００７３】
一方、ステップＳ１２１１で閲覧マーク有効期間が終了していないと判断された場合には、デジタルカメラ２１は処理をステップＳ１２１４に進め、撮影モードの終了が指示されたかどうかを確認する。終了されていた場合はステップＳ１２１５へ進み、撮影動作を終了する。そうでない場合はステップＳ１２０３に進む。
【００７４】
ところで、本実施形態にかかるデジタルカメラ２１では、画像ファイルを取得する権限を付与した機器を確認できるとともに、変更することができる。図７に、画像ファイルの取得権限の確認・変更を行う画面（以下、「閲覧設定画面」という）を示す図である。この画面は、再生モードにおいて、ユーザが「ＭＥＮＵ」ボタン２５を操作することによって表示されるメニュー画面から「閲覧設定」の項目を選択することによって表示される。図７において、７３は確認・変更の対象となる画像ファイルの画像主画像８０５が展開され表示されたものである。ここにはサムネイル８０３が表示されてもよい。７４は接続対象機器リストに登録されている機器をニックネームで示す列である。７２は表示中の画像ファイルの取得をどの機器に対して許可するかを示す列である。ニックネームの横の領域に「○」が表示されている機器が取得を許可された機器である。この画面でユーザーが「ＳＥＴ」ボタン２７を操作することに応じて、画像ファイルの取得を許可したり、許可を取り消したりすることができる。
【００７５】
例えば、一緒に旅行に行ったときに撮影した画像ファイルで図１２のフローに従って取得を許可した画像ファイルの中にも、他の人に見せたくないものが含まれることがあった場合がある。このような場合には、閲覧設定の画面で設定を変更することができる。
【００７６】
次に、デジタルカメラ２１が、他の機器から実際に画像ファイルの取得要求を受信した場合の動作を説明する。図１３に本処理におけるフローチャートを示す。
【００７７】
本フローにおいて、デジタルカメラ２１は取得要求を送信する機器と無線により接続しているものとする。
【００７８】
本実施形態におけるデジタルカメラ２１は、最初に他の機器にハンドル情報を送信する処理を行う。ハンドル情報とは、送受信の対象となるデータを特定するための情報である。他の機器は、このハンドル情報に基づいてサムネイルデータや画像ファイルの取得要求を作成し、デジタルカメラ２１に対して送信することが可能となる。
【００７９】
まず、デジタルカメラ２１は、ステップＳ１１０２において全画像ハンドルの取得要求を他の機器から受信したかどうかの確認を行う。すなわち、画像ファイルの取得処理を開始する要求が他の機器によりなされたか否かを確認する。受信した場合には処理をステップＳ１１０２に進める。受信していない場合には処理をステップＳ１１０６に進める。
【００８０】
ステップＳ１１０３において、デジタルカメラ２１は要求を出した機器のＩＤ情報を取得する。このＩＤ情報は、ハンドル取得要求に含まれていてもよいし、別途通信により受信してもよい。
【００８１】
ステップＳ１１０４において、デジタルカメラ２１は、取得したＩＤ情報をもとにＳＤ２９に保存されている画像ファイルの閲覧機器ＩＤ領域８０７を順次調べる。画像ファイルのうち、閲覧機器ＩＤ領域に記録されているＩＤが、要求を出した機器のＩＤと一致するものがあれば、その画像ハンドル情報を収集して、リストを作成する。
【００８２】
ステップＳ１１０５において、デジタルカメラ２１は作成した画像ハンドル情報のリストを要求を出した機器に送信する。画像ハンドル情報を受信した機器は、この画像ハンドル情報をパラメータにしてサムネイルデータの取得要求や画像ファイルの要求をデジタルカメラ２１に対して送信することが可能となる。以上で画像ハンドル情報の送信は完了し、デジタルカメラ２１は処理をステップＳ１１０２に戻す。
【００８３】
次に、画像ハンドル情報を受信した機器からサムネイルデータの取得要求を受信した場合における、デジタルカメラ２１の処理を説明する。
【００８４】
ステップＳ１１０６において、デジタルカメラ２１はサムネイルデータの取得要求を受信したかどうかの確認を行う。サムネイルデータの取得要求を受信した場合には処理をステップＳ１１０７に進める。受信していない場合には処理をステップＳ１１１０に進める。
【００８５】
ステップＳ１１０７において、デジタルカメラ２１は要求を出した機器のＩＤ情報を取得する。
【００８６】
ステップＳ１１０８において、デジタルカメラ２１は、要求されたサムネイルデータの転送を許可するか否かを判断する。以下、このステップにおける具体的な処理について説明する。ステップＳ１１０６でデジタルカメラ２１が受信したサムネイルデータの取得要求には、ステップＳ１１０５で送信した画像ハンドル情報が付加されている。その画像ハンドル情報を元に、要求の対象となっている画像ファイルを特定する。そして要求対象である画像ファイルの閲覧機器ＩＤ領域８０７を参照し、閲覧機器ＩＤに記録されているＩＤが要求を出した機器のＩＤと一致するかどうかを調べる（ステップＳ１１０８）。一致している場合は取得を許可し、ステップＳ１１０９で対象のサムネイルデータ（図８の領域８０３のデータ）を要求元の機器に送信する。この処理により、サムネイルデータを受信した機器のユーザはサムネイル画像を閲覧することが可能となる。閲覧機器ＩＤ領域８０７に一致するＩＤがない場合は、ステップＳ１１１４に処理を進め、要求を送信した機器に対して送信不可通知を送る。以上でサムネイルの送信処理は完了し、デジタルカメラ２１は処理をステップＳ１１０２に戻す。
【００８７】
次に、ハンドル情報を受信した機器から画像ファイルの取得要求を受信した場合における、デジタルカメラ２１の処理を説明する。
【００８８】
ステップＳ１１１０において、デジタルカメラ２１は画像ファイル取得要求を受信したかどうかの確認を行う。画像ファイル取得要求を受信した場合、処理をステップＳ１１１１に進める。受信しなかった場合、処理をステップＳ１１０２に戻す。
【００８９】
ステップＳ１１１１において、デジタルカメラ２１は要求を出した機器のＩＤ情報を取得する。
【００９０】
ステップＳ１１１２において、デジタルカメラ２１は、画像ファイルの取得を許可するか否かを判断する。この処理はステップＳ１１０８と同様であるから、ここでは特に説明しない。取得を許可する場合は処理をステップＳ１１１３に進める。許可しない場合には処理をステップＳ１１１４に進める。
【００９１】
ステップＳ１１１３において、デジタルカメラ２１は取得を許可し、要求元の機器に対し、対象の画像ファイルを送信する。
【００９２】
ステップＳ１１１４において、デジタルカメラ２１は要求を出した機器に対して送信不可通知を送る。
【００９３】
なお、デジタルカメラ２１のＳＤ２９内にある画像ファイルの閲覧機器ＩＤ領域８０７に記録されている情報は、デジタルカメラ２１のユーザーの個人情報であると考えられる。従って、ステップＳ１１１３で対象の画像ファイルを要求元の機器に送信する際には、閲覧機器ＩＤ領域８０７に記録されている情報を消去させることが望ましい。
【００９４】
以上説明したように、本実施形態では、他の機器から画像ファイルの取得要求があった場合に、画像ごとに画像ファイルの取得を許可する機器を設定することができるようにした。このことにより、目的の画像ファイルのみの閲覧を目的の機器に対して許可することができる。
【００９５】
また、撮影のタイミングで、撮影した画像ファイルの取得を許可する機器を自動的に設定することができるようにした。このことにより、デジタルカメラのユーザーは、画像ファイルごと、機器ごとに取得の許可・不許可を設定するといったわずらわしい操作をする必要がない。
【００９６】
また、このとき撮影の際に無線通信可能領域に存在し、かつ接続対象機器リストに登録されている機器に対して撮影した画像ファイルの取得を許可するように制御するようにした。このことにより、その場に存在していなかった機器に対しては取得を許可しないようにすることができる。また、撮影の前後の期間を閲覧マークの有効期間とした。このことにより、同じ場所にはいたものの、撮影時には一時的に通信不可能な状態にあるような機器についても取得を許可することが可能となる。
【００９７】
さらに本実施形態では、取得を要求するデジタルカメラが取得要求を送信することにより画像ファイルの取得処理が開始されるようにした。このことにより、取得を要求する機器にとっても、必要のない画像ファイルは受信する必要がなく、ユーザが閲覧したい画像のみを取得することができる。また、無線ネットワーク上のデータ通信量も少なくすることが出来るため、転送時間短縮によって操作性が向上し、デジタルカメラ２１および他の機器の消費電力を小さくすることができる。
【００９８】
また本実施形態では、画像ファイル本体を送信せずにサムネイルデータを送信できるようにした。このようにすることで、要求元の機器のユーザはまずサムネイル画像を閲覧した上で、取得したい画像ファイルを決定することが可能である。また、このようなケースにおいて、要求元の機器には取得を許可されたサムネイルデータだけが送信される。そのため、ユーザは自分に関連のあるイベントのサムネイル画像だけを閲覧することが可能となり、結果として目的の画像を素早く探すことができる。
【００９９】
ところで、本実施形態のデジタルカメラにおいては、画像ファイルの取得を許可する機器の情報を収集する方法として、ＩＥＥＥ８０２．１１規格に準拠した通信手段を用いている。この通信手段により、他の機器が定期的に発信する「閲覧マーク要求」のパケットを受信し、その際に送信される機器ＩＤ情報を記録していた。しかしながら、ＩＥＥＥ８０２．１１規格に準拠した通信手段以外の手段を用いても本発明の目的は達成可能である。
【０１００】
例えば、ＺｉｇＢｅｅに代表されるＩＥＥＥ８０２．１５．４規格などの短距離無線通信手段を使って近辺にいる機器ＩＤ情報を収集することもできる。この通信手段は伝送距離が短いため、自分の近くにいる機器に関するＩＤ情報のみを取得することができるという特徴がある。例えば、被写体となっている人の機器にのみ画像ファイルの取得を許可したいといったように、取得を許可する機器の範囲をできるだけ狭めたいような場合に適している。また低消費電力で動作するため、デジタルカメラの撮影動作の際に、画像閲覧を許可する機器の情報収集のために必要な消費電力を抑えることができる。
【０１０１】
また、ＮＦＣ（Ｎｅａｒ  Ｆｉｅｌｄ  Ｃｏｍｍｕｎｉｃａｔｉｏｎ）といった短距離無線通信規格を使えば、１０ｃｍ程度の近距離に存在する機器のみを画像ファイルの取得を許可する機器として設定することができる。この場合、デジタルカメラ２１のユーザーがより明示的に対象機器との関連付けを行う必要があるが、画像ファイルの取得を許可する機器を確実に簡単な方法で指定できるという特徴がある。
【０１０２】
また、ＵＳＢなどの有線の通信手段を使って、より明示的に対象機器を画像ファイルの取得を許可する機器として設定することも可能である。
【０１０３】
また、画像ファイルを送信する際の通信の手順は、図１３に示したものには限定されない。
【０１０４】
また、本実施形態では、画像ファイルに対する閲覧機器ＩＤ情報は当該画像ファイルの一部として保存されるが、この閲覧機器ＩＤ情報を当該画像ファイルとは別のファイルに保存することも可能である。このとき複数の画像ファイルに対する閲覧機器ＩＤ情報をひとつのファイルに保存することも可能である。
【０１０５】
また、本実施形態のデジタルカメラ２１で作成された画像ファイルが保存されているＳＤ２９を他のデジタルカメラに差し替えた場合でも、他のデジタルカメラが図１３で示した動作を行うことが可能である。この動作により、同様に画像ファイルの取得が許可されていない機器に対しては画像ファイルを転送しないよう制御することができる。
【０１０６】
従って、通信手段を有さないデジタルカメラであっても、撮影時に撮影した画像ごとに画像ファイルの取得を許可する機器を設定するという動作は行うことが可能である。
【０１０７】
＜第２の実施形態＞
実施形態１では、画像ファイルの取得を許可する機器情報の収集方法として、他の機器が定期的に発信する「閲覧マーク要求」のパケットを受信し、そこに含まれる機器ＩＤ情報を記録することによって実現していた。
【０１０８】
本実施形態では、機器情報の収集を他の機器を撮影することにより得る構成とした。以下、本実施形態を、図９を参照しながら説明する。
【０１０９】
図９は、例えば図４における機器Ａ（４１）などの他の機器の外観を示した図である。図９で９２は機器の本体を示し、９１は機器に貼り付けられているバーコード表示を表している。このバーコードには機器９２の機器ＩＤを示す情報が記述されている。
【０１１０】
デジタルカメラ２１がバーコード表示９１を認識した場合、バーコードから機器ＩＤ情報を解読して、画像閲覧を許可する機器として内部に記憶する。認識のタイミングは、ＥＶＦ表示を行っている状態や、画像の撮影を行ったとき、あるいは機器の情報を収集するモードを独立して備えていてそのモード状態にあるときなどがある。バーコードを解読すると、デジタルカメラ２１は実施形態１と同様、図５に示した接続対象機器リストうちの最終検知時間フィールドとＥｘｐｉｒｅ時間のフィールドの情報を更新する。
【０１１１】
なお、機器にバーコードを貼り付けるのではなく、シリアル番号として機器に表記したり、ＱＲコードとして機器に表記したり、あるいは機器が表示手段を備えている場合は、その表示手段上に機器ＩＤを表示することも可能である。またバーコード等は必ずしも機器に貼り付けられている必要はない。
【０１１２】
本実施形態において、撮影した画像ファイルの閲覧機器ＩＤ領域に機器のＩＤを記録する動作、および他の機器から画像ファイルの取得要求がきた場合の動作については実施形態１と同様であるため、説明を省略する。
【０１１３】
以上説明したように、本実施形態のデジタルカメラによれば、撮影時に、撮影した画像ごとに、画像ファイルの取得を許可する機器を設定することができる。このとき、撮影動作中や機器情報収集モード中に他の機器に貼り付けられているバーコード等から機器のＩＤを自動的に取得することが可能であり、読み取ったＩＤを用いて画像ファイルの取得許可を制御する。このことにより、目的の画像ファイルのみの取得を目的の機器に対してのみ許可することができる。このとき、デジタルカメラのユーザーは画像ファイルごと、機器ごとに取得の許可・不許可を設定するといったわずらわしい操作をする必要がない。
【０１１４】
また、本実施形態のデジタルカメラでは、例えばバーコードを撮影して認識を行う場合に、一定時間以上バーコードが撮像されたときのみ、画像ファイルの取得を許可する機器として設定するようにすることも可能である。このようにすることで、より明示的でかつ確実に画像ファイルの取得を許可する機器を設定することができる。また、本実施形態においては、デジタルカメラ２１が通信手段を備えていなくても画像ファイルの取得を許可する機器を設定することができる。従って、より安価に本発明を実現することができる。
【０１１５】
＜第３の実施形態＞
本実施形態では、撮影した画像から人物を認識して、その人物が所有する機器に対して閲覧を許可することとした。本実施形態を、図１０、図１１を参照しながら説明する。なお、以下の説明では第１及び第２の実施形態に共通する部分の説明は省略し、主に第３の実施形態に特有の部分について説明する。
【０１１６】
図１０は本実施形態のデジタルカメラ２１において、ＥＶＦ表示を行っている状態の画面例を示したものである。１００１はＥＶＦ表示および各種撮影設定の情報などが表示されている画面を示す。
【０１１７】
本実施形態のデジタルカメラ２１は、ＥＶＦに表示されている画像から人物の顔を認識する手段を備えているものとする。顔の認識方法および以下に説明する人物の認識方法としては、例えば特開２００２−２５１３８０号公報に記載されたような方法を用いる。
【０１１８】
デジタルカメラ２１は、人物の顔を認識すると、顔付近の領域に１００２、１００３で示されるような枠を表示する。
【０１１９】
ここで、図１１はデジタルカメラ２１が保持している接続対象となる機器の所有者のリストである。このリストには機器の所有者名１１０１と対応付けて標準顔データとなる画像ファイル１１０２を保持している。また、このリストは実施形態１における図５の接続対象機器リストと同様の役割を持っている。すなわち、所有者ごとの最終検知時間およびＥｘｐｉｒｅ時間１１０６を保持しており、撮影した画像に対して画像ファイルの取得を許可するか否かの判断の際に利用される。
【０１２０】
以下、具体的な動作について説明する。デジタルカメラ２１は図１０で示したようにＥＶＦ表示の動作中に人物の顔を認識すると、ＥＶＦ表示の顔領域の画像と保持している標準顔データ１１０２と比較する。
【０１２１】
比較の結果同一人物であると認識されると、デジタルカメラ２１は、その人物が所有する機器を画像ファイルの取得を許可する機器として内部に記憶する。具体的には、実施形態１と同様に、図１１に示した接続対象となる機器の所有者リストの中で、最終検知時間フィールド１１０５とＥｘｐｉｒｅ時間のフィールド１１０６の情報を更新する。
【０１２２】
同時にデジタルカメラ２１は、同一と認識された標準顔データ１１０２に対応する機器の所有者名、すなわち登録者名１１０１を、ＥＶＦ表示の画面中に表示する。図１０の図において、１００２の枠で示された顔領域の画像が、図１１のリストに記述されている標準顔データｆａｃｅ１．ｉｍｇと同一人物であると認識された場合を考える。この場合には機器の所有者名である「Ｔａｒｏ」が図１０の１００４に表示される。これによって、デジタルカメラ２１のユーザーは現時点からＥｘｐｉｒｅ時間１１０６に至るまでの間に撮影した画像ファイルデータの取得が、Ｔａｒｏが所有する機器に対して許可されることを把握できる。
【０１２３】
さらに、デジタルカメラ２１は、図１１のリストからＴａｒｏが所有する機器のＩＤ「１２３４５６」を、撮影された画像ファイルの閲覧機器ＩＤ領域８０７に記録する。
【０１２４】
一方、図１０において、１００３の枠で示された顔領域の画像が、図１１のリストに記述されている標準顔データ１１０２のいずれとも同一人物でないと認識された場合を考える。この場合、デジタルカメラ２１に登録されていない人物であることを示すためにデジタルカメラ２１は「Ｕｎｋｎｏｗｎ」の文字を図１０の１００５に表示する。また、１００３の枠で示された顔領域内の人物が図１１のリストに記述されている場合でも、人物の認識動作が正しく行われていない状態の場合は「Ｕｎｋｎｏｗｎ」の文字が表示される。この場合には、登録されている機器の所有者名で表示されるまで待つようにユーザーは判断することができる。
【０１２５】
人物の認識動作はＥＶＦ中に行うのではなく、画像の撮影時に行ったり、デジタルカメラ２１が機器情報収集モードを独立して備えていて、そのモード状態にあるときに行うようにしても構わない。
【０１２６】
なお、標準顔データ１１０２となる画像ファイルを、一人の機器所有者に対して複数対応付けることにより人物の認識率を高めるようにすることもできる。
【０１２７】
本実施形態において、撮影した画像ファイルの閲覧機器ＩＤ領域に機器のＩＤを記録する動作、および他の機器から画像ファイルの取得要求がきた場合の動作については実施形態１と同様であるため、説明を省略する。
【０１２８】
以上説明したように、本実施形態のデジタルカメラ２１によれば、撮影時に、撮影した画像ごとに、画像ファイルの取得を許可する機器を設定することができる。このとき、撮影動作中や機器情報収集モード中に撮影された被写体像から顔領域を抽出し、リスト中の顔データと比較する構成とした。そして、顔データと同一と判断された人物が所有する機器に対して、撮影した画像ファイルの取得を許可するように制御することとした。
【０１２９】
このことにより、デジタルカメラ２１は、「閲覧マーク要求」パケットの受信を行うことなく、目的の機器に対してのみ許可することができる。従って、通信の状態に処理が左右されることがない。また、デジタルカメラ２１のユーザは画像ファイルごと、機器ごとに画像ファイルの取得の許可・不許可を設定するといったわずらわしい操作をする必要がない。また、本実施形態においては、デジタルカメラ２１が通信手段を備えていなくても、画像ファイルの取得を許可する機器を設定することができる。
【図面の簡単な説明】
【０１３０】
【図１】一実施形態にデジタルカメラの動作の概要を説明した図
【図２】一実施形態におけるデジタルカメラの外観を示した図
【図３】一実施形態におけるデジタルカメラの構成を示した図
【図４】一実施形態におけるデジタルカメラを含む機器の構成図
【図５】一実施形態におけるデジタルカメラの接続対象機器リスト
【図６】一実施形態におけるデジタルカメラのＥＶＦ表示状態の画面例
【図７】一実施形態におけるデジタルカメラの表示部に表示される閲覧設定の表示画面
【図８】画像ファイルのフォーマットを示す図
【図９】一実施形態における他の機器の外観を示した図
【図１０】一実施形態におけるデジタルカメラのＥＶＦ表示状態の画面例
【図１１】一実施形態におけるデジタルカメラの接続対象となる機器の所有者リスト
【図１２】一実施形態におけるデジタルカメラの閲覧対象機器の情報を収集および画像ファイルへの機器ＩＤ記録動作を示したシーケンス図
【図１３】一実施形態におけるデジタルカメラの他の機器から画像ファイルの取得要求がきた場合の動作を示したシーケンス図
【符号の説明】
【０１３１】
２１  デジタルカメラ
４１  機器Ａ
４２  機器Ｂ
４３  機器Ｃ
４４  機器Ｄ
【図１】
2008022199.tif 000003
【図２】
2008022199.tif 000004
【図３】
2008022199.tif 000005
【図４】
2008022199.tif 000006
【図５】
2008022199.tif 000007
【図６】
2008022199.tif 000008
【図７】
2008022199.tif 000009
【図８】
2008022199.tif 000010
【図９】
2008022199.tif 000011
【図１０】
2008022199.tif 000012
【図１１】
2008022199.tif 000013
【図１２】
2008022199.tif 000014
【図１３】
2008022199.tif 000015